(57)【要約】      （修正有）【課題】製品の収率と結合力を向上させるための表示モジュール用収納ユニットを提供する。【解決手段】収納部材は底面及び底面から折曲されて延長された第１側面からなり、締結部材は収納部材に結合され第１ホール３１３ａが形成される。カバー部材は上部面及び上部面から折曲されて延長された第２側面からなり、第１ホール３１３ａと対応する第２ホールが形成された第１締結部３１０を有する。【選択図】  図１
2005049871.tif 000002
【特許請求の範囲】
【請求項１】
映像を表示する表示パネル及び前記表示パネルに光を提供するランプを収納する収納ユニットであって、
底面及び前記底面のエッジから上部に延長された第１側面からなる収納部材と、
前記収納部材に結合され第１ホールが形成された締結部材と、
上部面及び前記上部面から折曲されて延長された第２側面を含み、前記第１ホールと対応する第２ホールが形成された第１締結部を有するカバー部材と、
を含む表示モジュール用収納ユニット。
【請求項２】
前記締結部材は、
前記収納部材のコーナーに配置されている本体部と、
前記本体部の側面から外側に延長され、前記第１ホールが形成された第２締結部と、
を含むことを特徴とする、請求項１記載の表示モジュール用収納ユニット。
【請求項３】
前記第２締結部は、前記本体部の上部面と下部面との間に配置されることを特徴とする、請求項２記載の表示モジュール用収納ユニット。
【請求項４】
前記第１側面は前記コーナーで前記本体部と前記第２締結部とを露出するために除去されていることを特徴とする、請求項２記載の表示モジュール用収納ユニット。
【請求項５】
前記本体部は前記底面の角で折曲していることを特徴とする、請求項２記載の表示モジュール用収納ユニット。
【請求項６】
前記第１締結部は、前記カバー部材のコーナーに配置されて前記第２締結部と対向していることを特徴とする、請求項２記載の表示モジュール用収納ユニット。
【請求項７】
前記本体部の上部面に結合された支持部材をさらに含むことを特徴とする、請求項２記載の表示モジュール用収納ユニット。
【請求項８】
前記支持部材は前記第１底面の角で折曲していることを特徴とする、請求項７記載の表示モジュール用収納ユニット。
【請求項９】
前記支持部材は前記締結部材に一体に形成されていることを特徴とする、請求項７記載の表示モジュール用収納ユニット。
【請求項１０】
光を発生するランプと、
第１底面及び前記第１底面のエッジから上部に延長された第１側面からなり、前記ランプを収納するための第１収納部材と、
前記第１収納部材に結合され第１ホールが形成された締結部材と、
前記光を利用して映像を表示する表示パネルと、
上部面及び前記上部面のエッジから下部に延長された第２側面からなり、前記表示パネルをカバーし、前記第１ホールと対応する第２ホールが形成された第１締結部を有するカバー部材と、
を含むことを特徴とする表示モジュール。
【請求項１１】
前記締結部材は、
前記第１収納部材のコーナーに配置される本体部と、
前記本体部の側面から外側に延長され、前記第１ホールが形成された第２締結部と、
を含むことを特徴とする、請求項１０記載の表示モジュール。
【請求項１２】
前記第２締結部は、前記本体部の上部面と下部面との間に配置されることを特徴とする、請求項１１記載の表示モジュール。
【請求項１３】
前記第１側面は、前記コーナーで前記本体部と前記第２締結部とを露出するために除去されていることを特徴とする、請求項１１記載の表示モジュール。
【請求項１４】
前記本体部は前記第１底面の角で折曲していることを特徴とする、請求項１１記載の表示モジュール。
【請求項１５】
前記第１締結部は、前記カバー部材のコーナーに配置されて前記第２締結部と対向していることを特徴とする、請求項１１記載の表示モジュール。
【請求項１６】
前記本体部の上部面に結合され、前記表示パネルを支持するための支持部材をさらに含むことを特徴とする、請求項１１記載の表示モジュール。
【請求項１７】
前記支持部材は、前記第１底面の角で折曲していることを特徴とする、請求項１６記載の表示モジュール。
【請求項１８】
前記支持部材は前記締結部材に一体に形成されていることを特徴とする、請求項１６記載の表示モジュール。
【請求項１９】
前記収納部材と結合し、前記表示パネルの端部が載置される一つ以上の部分に分離された中間部材をさらに含むことを特徴とする、請求項１０記載の表示モジュール。
【請求項２０】
前記中間部材は前記締結部材の端部と重複し、スクリューによって前記端部で前記締結部材と結合することを特徴とする、請求項１９記載の表示モジュール。
【請求項２１】
前記第１収納部材に収納され、前記ランプの両端部を収納して前記ランプを指定された位置に固定するための第２収納部材と、
前記第２収納部材と結合して前記ランプの両端部をカバーするランプカバー部材と、
をさらに含むことを特徴とする請求項１０記載の表示モジュール。
【請求項２２】
前記表示パネルは液晶表示パネルであることを特徴とする、請求項１０記載の表示モジュール。
【請求項２３】
光を発生するランプと、
底面及び前記底面から延長された第１側面からなり前記ランプを収納するための収納部材と、
前記収納部材に結合され第１ホールが形成された締結部材と、
前記ランプの上部に設けられ、前記光を利用して映像を表示する表示パネルと、
上部面及び前記上部面から延長された第２側面からなり、前記表示パネルをカバーし、前記第１ホールと対応する第２ホールが形成された第１締結部を有するカバー部材を含む表示モジュールと、
前記表示モジュールをカバーし、前記第１及び第２ホールに対応する締結溝が形成された第２締結部を有するケースと、
を含むことを特徴とする表示装置。
【請求項２４】
前記ケースは、
前記表示モジュールを収納するリヤケースと、
前記リヤケースと対向して結合し、前記表示モジュールをカバーするフロントケースと、
を含むことを特徴とする請求項２３記載の表示装置。
【請求項２５】
前記第２締結部は前記リヤケースに設けられていることを特徴とする、請求項２４記載の表示装置。
【請求項２６】
前記リヤケースは、前記第２及び第１ホールを順次に貫いた後、前記締結溝に締結されるスクリューによって前記表示モジュールに結合されることを特徴とする請求項２５記載の表示装置。
【発明の詳細な説明】
【技術分野】
【０００１】
本発明は、表示モジュール用収納ユニット、これを有する表示モジュール及び表示装置に関する。
【背景技術】
【０００２】
液晶表示装置の大きさは使用者の要求に応じて漸次大型化されつつあり、これに対応して液晶表示モジュール及び液晶表示モジュールを実装するためのケースも漸次大型化されている。液晶表示モジュールの大きさの大型化の要求を満足しながら液晶表示装置の結合力を向上させるためには、液晶表示モジュールとケースとの結合構造に対する研究が必要である。
【０００３】
また、液晶表示装置のサイズが漸次大型化されるにつれて、表示ユニットやバックライトアセンブリを収納する各種収納容器のサイズも大きくなっている。一般に、収納容器は射出成形によって製造される。
【発明の開示】
【発明が解決しようとする課題】
【０００４】
射出成形による製造過程では射出成形のための大型射出機を使わなければならない。また、それに必要とされるそのほかの装備、例えば移送装備のサイズも増加する。これにより、製造工程上の難しさが発生するだけでなく、射出機及びそのほかの装備をサイズに合わせて再度製造しなければなり、製造費用が上昇する。従って、大型装備による液晶表示装置の工程の難しさと原価の上昇とによって生産性が低下する。
【０００５】
また、射出成形によって製造された収納容器の捩れ現象が増加する。射出は高温環境で行われるので、完成した後にはある程度伸長または縮小する。この時、伸縮率は製品のサイズと比例するから、収納容器が大型化するほど伸縮率もそれに応じて大きくなる。これにより、完成された収納容器の数値が正確でなかったり、捩れ現象が発生する。従って、収納容器の生産性及び収率が低下する。
【０００６】
従って、本発明の目的は、製品の収率と結合力を向上させるための表示モジュール用収納ユニットを提供することにある。
【０００７】
また、本発明の他の目的は、前記した収納ユニットを有する表示モジュールを提供することにある。
【０００８】
本発明のさらに他の目的は、前記した表示モジュールを有する表示装置を提供することにある。
【課題を解決するための手段】
【０００９】
前記課題を解決するために、本願発明は、映像を表示する表示パネル及び前記表示パネルに光を提供するランプを収納する表示モジュール用収納ユニットを提供する。このユニットは、下記の構成要素を含む。
・底面及び前記底面のエッジから上部に延長された第１側面からなる収納部材、
・前記収納部材に結合され第１ホールが形成された締結部材、
・上部面及び前記上部面から折曲されて延長された第２側面を含み、前記第１ホールと対応する第２ホールが形成された第１締結部を有するカバー部材。
【００１０】
前記表示モジュール用収納ユニットにおいて、前記締結部材は、下記の構成要素を含んでいてもよい。
・前記収納部材のコーナーに配置されている本体部、
・前記本体部の側面から外側に延長され、前記第１ホールが形成された第２締結部。
【００１１】
前記表示モジュール用収納ユニットにおいて、前記第２締結部は、前記本体部の上部面と下部面との間に配置されてもよい。
【００１２】
前記表示モジュール用収納ユニットにおいて、前記第１側面は、前記コーナーで前記本体部と前記第２締結部とを露出するために除去されているとよい。
【００１３】
前記表示モジュール用収納ユニットにおいて、前記本体部は、前記底面の角で折曲していてもよい。
【００１４】
前記表示モジュール用収納ユニットにおいて、前記第１締結部は、前記カバー部材のコーナーに配置されて前記第２締結部と対向していてもよい。
【００１５】
前記表示モジュール用収納ユニットは、前記本体部の上部面に結合された支持部材をさらに含むことができる。
【００１６】
前記表示モジュール用収納ユニットにおいて、前記支持部材は前記第１底面の角で折曲していてもよい。
【００１７】
前記表示モジュール用収納ユニットにおいて、前記支持部材は前記締結部材に一体に形成されている。
【００１８】
このような表示モジュール用収納ユニットでは、収納部材より強い強度を有する締結部材を用いることで、表示装置の組み立て過程で第１ホールが形成された締結部材が変形する現象を防止することができる。すなわち、表示装置が大型化されも締結部材は変形しにくく、且つ表示装置を支えることができるので、表示装置の組立性を向上させることができる。従って、表示装置の組み立て品質及び結合力を向上させることができる。
【００１９】
また、複数の部分に分離された収納部材を採用することによって、表示装置が大型化しても収納部材の製造過程を簡素化することができる。これにより、表示装置の生産性及び収率を向上させることができる。
【００２０】
本発明の別の形態は、下記の構成要素を有する表示モジュールを提供する。
・光を発生するランプ、
・第１底面及び前記第１底面のエッジから上部に延長された第１側面からなり、前記ランプを収納するための第１収納部材、
・前記第１収納部材に結合され第１ホールが形成された締結部材、
・前記光を利用して映像を表示する表示パネル、
・上部面及び前記上部面のエッジから下部に延長された第２側面からなり、前記表示パネルをカバーし、前記第１ホールと対応する第２ホールが形成された第１締結部を有するカバー部材。
【００２１】
前記表示モジュールにおいて、前記締結部材は、下記の構成要素を有していても良い。
・前記第１収納部材のコーナーに配置される本体部、
・前記本体部の側面から外側に延長され、前記第１ホールが形成された第２締結部。
【００２２】
前記表示モジュールにおいて、前記第２締結部は、前記本体部の上部面と下部面との間に配置されていてもよい。
【００２３】
前記表示モジュールにおいて、前記第１側面は、前記コーナーで前記本体部と前記第２締結部とを露出するために除去されていてもよい。
【００２４】
前記表示モジュールにおいて、前記本体部は前記第１底面の角で折曲していてもよい。
【００２５】
前記表示モジュールにおいて、前記第１締結部は、前記カバー部材のコーナーに配置されて前記第２締結部と対向しているとよい。
【００２６】
前記表示モジュールは、前記本体部の上部面に結合され、前記表示パネルを支持するための支持部材をさらに含むことができる。
【００２７】
前記表示モジュールにおいて、前記支持部材は、前記第１底面の角で折曲していてもよい。
【００２８】
前記表示モジュールにおいて、前記支持部材は前記締結部材に一体に形成されることができる。
【００２９】
前記表示モジュールは、前記収納部材と結合し、前記表示パネルの端部が載置される一つ以上の部分に分離された中間部材をさらに含むことができる。
【００３０】
前記表示モジュールにおいて、前記中間部材は前記締結部材の端部と重複し、スクリューによって前記端部で前記締結部材と結合しているとよい。
【００３１】
以上に述べた表示モジュールは、前述の表示モジュール用収納ユニットと同様の作用効果を有する。
【００３２】
前記表示モジュールは、下記の構成要素を含むことができる。
・前記第１収納部材に収納され、前記ランプの両端部を収納して前記ランプを指定された位置に固定するための第２収納部材、
・前記第２収納部材と結合して前記ランプの両端部をカバーするランプカバー部材。
【００３３】
前記表示モジュールにおいて、前記表示パネルは液晶表示パネルであることができる。
【００３４】
本発明の別の形態は、下記の構成要素を有する表示装置を提供する。
・光を発生するランプ、
・底面及び前記底面から延長された第１側面からなり前記ランプを収納するための収納部材、
・前記収納部材に結合され第１ホールが形成された締結部材、
・前記ランプの上部に設けられ、前記光を利用して映像を表示する表示パネル、
・上部面及び前記上部面から延長された第２側面からなり、前記表示パネルをカバーし、前記第１ホールと対応する第２ホールが形成された第１締結部を有するカバー部材を含む表示モジュール、
・前記表示モジュールをカバーし、前記第１及び第２ホールに対応する締結溝が形成された第２締結部を有するケース。
【００３５】
前記表示装置において、前記ケースは、下記の構成要素を有することができる。
・前記表示モジュールを収納するリヤケース、
・前記リヤケースと対向して結合し、前記表示モジュールをカバーするフロントケース。
【００３６】
前記表示モジュールにおいて、前記第２締結部は前記リヤケースに設けられているとよい。
【００３７】
前記表示モジュールにおいて、前記リヤケースは、前記第２及び第１ホールを順次に貫いた後、前記締結溝に締結されるスクリューによって前記表示モジュールに結合されているとよい。
【００３８】
以上に述べた表示装置は、前述の表示モジュール用収納ユニットと同様の作用効果を有する。
【発明の効果】
【００３９】
このような表示モジュール用収納ユニット、これを有する表示モジュール及び表示装置を用いれば、表示装置の生産性と収率とを向上させることが出いる。
【発明を実施するための最良の形態】
【００４０】
以下、図面を参照して本発明の望ましい一実施例をより詳細に説明する。
【００４１】
図１は本発明の一実施例による液晶表示モジュールを具体的に示す分解斜視図である。図２は図１に図示されたボトムシャーシと第１乃至第４締結部材との結合関係を示す平面図である。
【００４２】
図１に示すように、本発明の一実施例による液晶表示モジュール(６００)は、映像を表示する表示ユニット(１００)と、光を発生して前記表示ユニット(１００)に提供するバックライトアセンブリ(２００)とを含む。
【００４３】
前記表示ユニット(１００)は、映像を表示する液晶表示パネル(１１０)、前記液晶表示パネル(１１０)を駆動するためのゲート側及びデータ側印刷回路基板(１２０、１３０)で構成される。
【００４４】
前記バックライトアセンブリ(２００)は、、互いに平行に配置されて光を発生する複数の棒状のランプ(２１１)で構成されたランプユニット(２１０)を具備する。前記ランプユニット(２１０)の上部には前記光を拡散するための拡散板(２２１)が具備されている。前記拡散板(２２１)上には、前記光の輝度と視野角を向上させるための光学シート類(２２３)が設けられている。また、前記ランプユニット(２１０)の下には、前記光を前記拡散板(２２１)側に反射する反射板(２２５)が設けられている。
【００４５】
前記バックライトアセンブリ(２００)は、第１及び第２低モールド(２３０、２４０)と、第１及び第２アッパーモールド(２５０、２６０)とをさらに具備する。前記第１及び第２低モールド(２３０、２４０)は、前記複数のランプ(２１１)の両端部をそれぞれ収納している。前記第１及び第２アッパーモールド(２５０、２６０)は、前記第１及び第２低モールド(２３０、２４０)とそれぞれ結合して前記複数のランプ(２１１)の両端部をカバーする。
【００４６】
図１及び図２に図示すように、ボトムシャーシ(２７０)は、底面(２７１)及び前記底面(２７１)から折曲されて延長された第１乃至第４側面(２７２、２７３、２７４、２７５)によって定義された収納空間に、上述したバックライトアセンブリ(２００)の構成要素を収納する。ここで、前記ボトムシャーシ(２７０)の第１乃至第４コーナー(Ｃ１、Ｃ２、Ｃ３、Ｃ４)には、第１乃至第４締結部材(３１０、３２０、３３０、３４０)がそれぞれ収納される。
【００４７】
具体的に、前記第１側面(２７２)と第２側面(２７３)とが接する第１コーナー(Ｃ１)には、前記第１締結部材(３１０)が配置されている。前記第２側面(２７３)と第３側面(２７４)とが接する第２コーナー(Ｃ２)には、前記第２締結部材(３２０)が配置される。また、前記第３側面(２７４)と第４側面(２７５)とが接する第３コーナー(Ｃ３)には、前記第３締結部材(３３０)が配置されている。前記第４側面(２７５)と第１側面(２７２)とが隣接する第４コーナー(Ｃ４)には、前記第４締結部材(３４０)が配置される。
【００４８】
この時、前記第１乃至第４締結部材(３１０〜３４０)が具備された前記第１乃至第４コーナー(Ｃ１〜Ｃ４)で前記第１乃至第４側面(２７２〜２７５)が切開され、前記第１乃至第４締結部材(３１０〜３４０)をそれぞれ露出させている。
【００４９】
ここで、前記第１及び第３締結部材(３１０〜３３０)は互いに等しい形状を有する。第２及び第４締結部材(３２０〜３４０)は互いに等しい形状を有する。第１及び第３締結部材(３１０〜３３０)と第２及び第４締結部材(３２０〜３４０)とは、互いに対称関係にある。従って、図３を参照して前記第１締結部材(３１０)を説明することで第２乃至第４締結部材(３２０〜３４０)に関する説明は省略する。
【００５０】
図３は、図１に図示された第１締結部材を具体的に示す図面である。
【００５１】
図３に示すように、第１締結部材(３１０)は第１方向(Ｄ１)に延長された第１本体部(３１１)と、前記第１本体部(３１１)から第２方向(Ｄ２)に折曲されて延長された第２本体部(３１２)と、で構成される。この時、前記第１方向(Ｄ１)は、前記第１側面(２７２)(図２に図示)に沿う方向である。前記第２方向(Ｄ２)は、前記第２側面(２７３)(図２に図示)に沿う方向である。前記第１締結部材(３１０)はＬ字形状を有する。
【００５２】
前記第１及び第２本体部(３１１、３１２)は多面体で構成されている。前記第２本体部(３１２)は、第１地点(Ｐ１)から端部に近づくほど厚さが厚くなり、第２地点(Ｐ２)からは一定の厚さを維持する。
【００５３】
前記第１締結部材(３１０)が前記ボトムシャーシ(２７０)に収納されると、前記第１及び第２本体部(３１１、３１２)の底面(３１６、３１７)は前記ボトムシャーシ(２７０)の底面(２７１)に接する。また、前記第１本体部(３１１)の一端部は前記第１側面(２７２)の一端部と接し、前記第２本体部(３１２)の一端部は前記第２側面(２７３)の一端部と接する。
【００５４】
前記第１締結部材(３１０)は、前記第２本体部(３１２)の側面(３１８)から外側に延長された第１締結部(３１３)をさらに有する。前記第１締結部(３１３)は、前記第２本体部(３１２)の上面(３１５)と前記第２本体部(３１２)の背面(３１７)とから同一の距離だけ離れており、前記第２本体部(３１２)の側面(３１８)の中央部に形成されている。また、前記第１締結部材(３１０)には、前記第１締結部(３１３)を貫く第１ホール及び第１固定ホール(３１３ａ、３１３ｂ)が形成されている。
【００５５】
図１乃至図３に図示すように、前記第１乃至第４締結部材(３１０〜３４０)は、前記ボトムシャーシ(２７０)のフレームの厚さより厚く形成されるだけでなく、前記第１乃至第４締結部材(３１０〜３４０)は前記ボトムシャーシ(２７０)より強度が高い材質からなる。従って、前記液晶表示モジュール(６００)のサイズが大きくても、前記第１乃至第４締結部材(３１０〜３４０)が変形しにくく、且つ前記液晶表示モジュール(６００)を支持することができる。
【００５６】
図１乃至図３では、前記第１乃至第４締結部材(３１０〜３４０)が互いに同一または対称的形状を有することを示したが、前記第１乃至第４締結部材(３１０〜３４０)は互いに異なる形状を有することもできる。例えば、前記第１乃至第４締結部材(３１０〜３４０)に設けられる締結部の位置が互いに違っていても良く、各締結部に形成されるホールの個数も互いに違っていて良い。
【００５７】
図４はボトムシャーシと第１締結部材との締結構造を示す斜視図である。ただし、図４ではボトムシャーシ(２７０)と第１締結部材(３１０)との締結構造のみを説明し、ボトムシャーシ(２７０)にこれと同一に締結される第２乃至第４締結部材(３２０〜３４０)の締結構造に対する説明は省略する。
【００５８】
図４に示すように、ボトムシャーシ(２７０)の第１コーナー(Ｃ１)には、底面(２７１)を貫く第１及び第２締結孔(２７１ａ、２７１ｂ)が形成される。また、第１本体部(３１１)には、背面(３１６)から所定の深さだけ陥没し、前記第１締結孔(２７１ａ)に対応する第１締結溝(３１６ａ)が形成されている。前記第２本体部(３１２)には、背面(３１７)から所定の深さだけ陥没し、前記第１締結孔(２７１ｂ)に対応する第２締結溝(３１６ｂ)が形成されている。
【００５９】
以後、前記第１コーナー(Ｃ１)に前記第１締結部材(３１０)が収納されると、第１スクリュー(３９１)は前記第１締結孔(２７１ａ)を貫いて前記第１締結溝(３１６ａ)に締結される。同様に、第２スクリュー(３９２)は、前記第２締結孔(２７１ｂ)を貫いて前記第２締結溝(３１６ｂ)に締結される。これにより、前記第１締結部材(３１０)は、前記第１及び第２スクリュー(３９１、３９２)によって前記ボトムシャーシ(２７０)の第１コーナー(Ｃ１)に固定される。
【００６０】
図５は、図１に図示されたボトムシャーシと第１及び第２モールドバーとの結合関係を示す斜視図である。
【００６１】
図５に示すように、第１モールドバー(２８０)は特定方向に沿って延在し、棒形状を有する。前記第１モールドバー(２８０)は、ボトムシャーシ(２７０)の第１側面(２７２)と概ね平行な第１面(２８１)と、前記ボトムシャーシ(２７０)の底面(２７１)と概ね平行な第２面(２８２)と、を有する。ここで、前記第１面と第２面(２８１、２８２)との成す角は、概ね９０゜である。従って、前記第１モールドバー(２８０)が前記ボトムシャーシ(２７０)に収納されると、前記第１面(２８１)は前記第１側面(２７２)と接し、前記第２面(２８２)は前記底面(２７１)に接する。
【００６２】
また、前記第１モールドバー(２８０)は、前記底面(２７１)に対して所定の角度で傾いた第３面(２８３)をさらに有する。前記第１面(２８１)と第３面(２８３)との間には、第１階段部(ＳＰ１)が形成されている。前記第１階段部(ＳＰ１)には、バックライトアセンブリ(２００)の光学シート類(２２３)及び拡散板(２２１)(図１に図示)が順次載置される。
【００６３】
一方、第２モールドバー(２９０)は、前記第１モールドバー(２８０)と同一の棒形状を有する。即ち、前記第２モールドバー(２９０)は、前記ボトムシャーシ(２７０)の第３側面(２７４)と概ね平行な第４面(２９１)と、前記底面(２７１)と概ね平行な第５面(２９２)とを有する。ここで、前記第４面と第５面(２９１、２９２)との成す角は９０゜である。従って、前記第２モールドバー(２９０)が前記ボトムシャーシ(２７０)に収納されると、前記第４面(２９１)は前記第３側面(２７４)に接し、前記第５面(２９２)は前記底面(２７１)に接する。
【００６４】
また、前記第２モールドバー(２９０)は、前記底面(２７１)に対して所定の角度で傾いた第６面(２９３)をさらに有している。前記第４面(２９１)と第６面(２９３)との間には、第２階段部(ＳＰ２)がさらに形成されている。前記第２階段部(ＳＰ２)には、前記光学シート(２２３)及び拡散板(２２１)が載置される。
【００６５】
図６は、第１及び第２低モールドとランプユニットとの結合関係を示す斜視図である。図７は、ボトムシャーシと第１低モールドとの結合関係を示す部分切開斜視図である。
【００６６】
図６に示すように、ランプユニット(２１０)は、複数のランプ(２１１)並びに第１ランプホルダー(図示せず)及び第２ランプホルダー(２１３)を含む。複数のランプ(２１１)は、棒形状を有し、互いに平行に配置されて光を発生する。第１ランプホルダー(図示せず)及び第２ランプホルダー(２１３)は、前記ランプ(２１１)の両端部にそれぞれ結合される。
【００６７】
前記ランプユニット(２１０)は、複数の第１及び第２回路基板(２１４、２１５)をさらに有している。前記各第１回路基板(２１４)には４個のランプの一端部が結合され、前記各第１回路基板(２１４)は第１駆動電圧を前記４個のランプそれぞれに出力する。また、前記各第２回路基板(２１５)には前記４個のランプの他端部が結合され、前記各第２回路基板(２１５)は前記第１駆動電圧とは異なる第２駆動電圧を前記４個のランプそれぞれに出力する。
【００６８】
第１及び第２低モールド(２３０、２４０)は、前記複数のランプ(２１１)の両端部にそれぞれ結合される。前記第１低モールド(２３０)には、複数の第１回路基板(２１４)及び前記複数のランプ(２１１)の一端部が収納される。前記第２低モールド(２４０)には、複数の第２回路基板(２１５)及び前記複数のランプ(２１１)の他端部が収納される。
【００６９】
図７に図示すように、前記第１低モールド(２３０)は、ボトムシャーシ(２７０)に収納されて第２側面(２７３)及び底面(２７１)に接する。また、前記第１低モールド(２３０)の一端部は、前記ボトムシャーシ(２７０)の第１コーナー(Ｃ１)に設けられた第１締結部材(３１０)の第２本体部(３１２)に隣接して配置される。
【００７０】
図６では、前記複数のランプ(２１１)の両端部に第１及び第２回路基板(２１４、２１５)がそれぞれ結合される構造を図示した。しかし、前記複数のランプ(２１１)が外部電極型ランプの場合、前記複数のランプ(２１１)の両端部に、前記第１及び第２回路基板(２１４、２１５)の代りに、第１及び第２導電性クリップ(図示せず)を結合してもよい。ここで、前記第１及び第２導電性クリップは、第１及び第２駆動電圧を出力するランプ駆動用回路基板(図示せず)に電気的に連結されて、前記第１及び第２駆動電圧を前記複数のランプ(２１１)に提供する。
【００７１】
図８は、第１及び第２アッパーモールドと第１及び第２低モールドとの結合関係を示す斜視図である。図９は、第１アッパーモールドとボトムシャーシとの結合関係を示す部分切開斜視図である。
【００７２】
図８に示すように、第１アッパーモールド(２５０)は、第１低モールド(２３０)と結合して複数のランプ(２１１)の一端部をカバーする。第２アッパーモールド(２６０)は、第２低モールド(２４０)と結合して複数のランプ(２１１)の他端部をカバーする。
【００７３】
ここで、前記第１及び第２アッパーモールド(２５０、２６０)は等しい形状を有する。以下では前記第２アッパーモールド(２６０)に対して説明することで、これと等しい形状を有する前記第１アッパーモールド(２５０)に対する説明は略する。
【００７４】
前記第２アッパーモールド(２６０)は、第３カバー面(２６１)及び第４カバー面(２６２)で構成される。第３カバー面(２６１)は、ボトムシャーシ(２７０)の底面(２７１)と平行である。第４カバー面(２６２)は、前記第３カバー面(２６１)から前記底面(２７１)に対向するように延在し、前記底面(２７１)に対し所定の角図で傾いている。
【００７５】
前記第３カバー面(２６１)は階段形状で構成され、前記第２低モールド(２４０)の上部に配置される。前記第３カバー面(２６１)には、バックライトアセンブリ(２００)の光学シート類(２２３)及び拡散板(２２１)が載置される。前記第４カバー面(２６２)には、前記複数のランプ(２１１)の他端部を収納するための複数の第２収納ホーム(２６２ａ)が設けられている。
【００７６】
図９に図示するように、第１アッパーモールド(２５０)は、ボトムシャーシ(２７０)に収納されている第１低モールド(２３０)と結合している。前記第１アッパーモールド(２５０)の一端部は、前記ボトムシャーシ(２７０)の第１コーナー(Ｃ１)の第１締結部材(３１０)の第２本体部(３１２)に隣接して配置される。
【００７７】
図１０はミドルシャーシを具体的に示す斜視図である。図１１及び図１２は、第１及び第２ミドルシャーシと第１締結部材との締結関係及び第１支持部材と第１締結部材との締結関係を具体的に示す部分切開斜視図である。
【００７８】
図１０に示すように、ミドルシャーシ(４００)は、Ｌ字形状で成り立って特定方向に長く延長された第１乃至シャーシの第４部分(４１０、４２０、４３０、４４０)で構成される。
【００７９】
前記シャーシの第１部分(４１０)は、前記ボトムシャーシ(２７０)の第１側面(２７２)に沿う方向に延びている。前記シャーシの第１部分(４１０)は、前記第１側面(２７２)の上端と前記第１モールドバー(２８０)とをカバーする第１上部面(４１１)と、前記第１上部面(４１１)から折曲されて前記第１側面(２７２)と接する第５側面(４１２)と、で構成される。前記シャーシの第１部分(４１０)の一端部は、第１締結部材(３１０)の第１本体部(３１１)と重なっており、前記シャーシの第１部分(４１０)の他端部は第４締結部材(３４０)の第１本体部(３４１)と重なっている。
【００８０】
前記シャーシの第２部分(４２０)は、前記ボトムシャーシ(２７０)の第２側面(２７３)に沿う方向に延びている。前記シャーシの第２部分(４２０)は、前記第２側面(２７３)の上端と前記第１アッパーモールド(２５０)とをカバーする第２上部面(４２１)と、前記第２上部面(４２１)から折曲されて前記第２側面(２７３)と接する第６側面(４２２)とで構成される。前記シャーシの第２部分(４２０)の一端部は、第２締結部材(３２０)の第２本体部(３２２)と重なっている。前記シャーシの第２部分(４２０)の他端部は、前記第１締結部材(３１０)の第２本体部(３１２)と重なっている。
【００８１】
前記シャーシの第３部分(４３０)は、前記ボトムシャーシ(２７０)の第３側面(２７４)に沿う方向に延びている。前記シャーシの第３部分(４３０)は、前記第３側面(２７４)の上端と前記第２モールドバー(２９０)とをカバーする第３上部面(４３１)と、前記第３上部面(４３１)から折曲されて前記第３側面(２７４)と接する第７側面(４３２)とで構成される。前記シャーシの第３部分(４３０)の一端部は、前記第３締結部材(３３０)の第１本体部(３３１)と重複している。前記シャーシの第３部分(４３０)の他端部は、前記第２締結部材(３２０)の第１本体部(３２１)と重複している。
【００８２】
前記シャーシの第４部分(４４０)は、前記ボトムシャーシ(２７０)の第４側面(２７５)に沿う方向に延びている。前記シャーシの第４部分(４４０)は、前記第４側面(２７５)の上端と前記第２アッパーモールド(２６０)とをカバーする第４上部面(４４１)と、前記第４上部面(４４１)から折曲されて前記第４側面(２７５)と接する第８側面(４４２)とで構成される。前記シャーシの第４部分(４４０)の一端部は、前記第４締結部材(３４０)の第２本体部(３４２)と重複している。前記シャーシの第４部分(４４０)の他端部は、前記第３締結部材(３３０)の第２本体部(３３２)と重複している。
【００８３】
一方、前記ボトムシャーシ(２７０)に結合されている第１乃至第４締結部材(３１０〜３４０)は、第１乃至第４支持部材(３５０、３６０、３７０、３８０)を支持する。即ち、前記ボトムシャーシ(２７０)に結合されている第１乃至第４締結部材(３１０〜３４０)の上部には、第１乃至第４支持部材(３５０、３６０、３７０、３８０)がそれぞれ載置される。
【００８４】
前記第１乃至第４支持部材(３５０〜３８０)は液晶表示パネル(１１０)を支持する役割を遂行する。
【００８５】
この時、前記第１乃至第４支持部材(３５０〜３８０)は、前記第１乃至シャーシの第４部分(４１０〜４４０)の厚さより厚い厚さを有する。従って、前記第１乃至第４支持部材(３５０〜３８０)は、前記第１乃至シャーシの第４部分(４１０〜４４０)上に載置された前記液晶表示パネル(１１０)をガイドすることができる。
【００８６】
図１１に示すように、前記シャーシの第１部分(４１０)の一端部には、前記第１上部面(４１１)を貫く第３締結孔(４１１ａ)及び前記第５側面(４１２)を貫く第４締結孔(４１２ａ)が形成されている。前記第１本体部(３１１)の上面(３１４)には、前記第３締結孔(４１１ａ)に対応する第３締結溝(３１４ａ)が形成されている。前記第１本体部(３１１)の側面(３１９)には、前記第４締結孔(４１２ａ)に対応する第４締結溝(３１９ａ)が形成されている。
【００８７】
一方、前記シャーシの第２部分(４２０)の他端部には、前記第２上部面(４２１)を貫く第５締結孔(４２１ａ)及び前記第６側面(４２２)を貫く第６締結孔(４２２ａ)が形成されている。前記第２本体部(３１２)には上面(３１５)から所定の深さだけ陥没し、前記第５締結孔(４２１ａ)に対応する第５締結溝(３１５ａ)が形成されている。前記第２本体部(３１２)には、側面(３１８)から所定の深さだけ陥没し、前記第６締結孔(４２２ａ)に対応する第６締結溝(３１８ａ)が形成されている。
【００８８】
前記第１締結部材(３１０)の上部面上には、第１支持部材(３５０)が設けられている。前記第１支持部材(３５０)は、第１支持部(３５１)と第２支持部(３５２)とで構成されてＬ字形状を有する。第１支持部(３５１)は、前記第１本体部(３１１)に沿う方向に設けられている。第２支持部(３５２)は、前記第１支持部(３５１)から折曲し、前記第２本体部(３１２)に沿う方向に設けられている。
【００８９】
前記第１支持部材(３５０)には、前記第１支持部(３５１)を貫く第７締結孔(３５１ａ)及び前記第２支持部(３５２)を貫く第８締結孔(３５２ａ)が形成されている。
【００９０】
また、前記第１本体部(３１１)には、上面(３１４)から所定の深さだけ陥没し、前記第７締結孔(３５１ａ)に対応する第７締結溝(３１４ｂ)が形成されている。前記第２本体部(３１２)には、上面(３１５)から所定の深さだけ陥没し、前記第８締結孔(３５２ａ)に対応する第８締結溝(３１５ｂ)が形成されている。
【００９１】
図１１及び図１２に図示するように、第３スクリュー(３９３)は、前記第３締結孔(４１１ａ)を貫いた後、前記第３締結溝(３１４ａ)に締結される。第４スクリュー(３９４)は、前記第４締結孔(４１２ａ)を貫いた後、前記第４締結溝(３１９ａ)に締結される。これにより、前記シャーシの第１部分(４１０)は、前記第３及び第４スクリュー(３９３、３９４)によって前記第１締結部材(３１０)に結合される。
【００９２】
一方、第５スクリュー(３９５)は、前記第５締結孔(４２１ａ)を貫いた後、前記第５締結溝(３１５ａ)に締結される。第６スクリュー(３９６)は、前記第６締結孔(４２２ａ)を貫いた後、前記第６締結溝(３１８ａ)に締結される。これにより、前記シャーシの第２部分(４２０)は、前記第５及び第６スクリュー(３９５、３９６)によって前記第１締結部材(３１０)に結合される。
【００９３】
第７スクリュー(３９７)は、前記第７締結孔(３５１ａ)を貫いた後、前記第７締結溝(３１４ｂ)に締結される。前記第８スクリュー(３９８)は、前記第８締結孔(３５２ａ)を貫いた後、前記第８締結溝(３１５ｂ)に締結される。これにより、前記第１支持部材(３５０)は、前記第７及び第８スクリュー(３９７、３９８)によって前記第１締結部材(３１０)の上部に結合される。
【００９４】
図１０乃至図１２では前記ミドルシャーシ(４００)が４個の部分に分離された構造を図示したが、前記ミドルシャーシ(４００)は２個または３個の部分に分離することもできる。
【００９５】
前記ミドルシャーシ(４００)は、複数の部分に分離されたシャーシの第１〜第４部分(４１０〜４４０)が製造された後、これらを組立てて一つの大型シャーシとして完成される。従って、漸次大型化する液晶表示モジュール(６００)(図１に図示)に利用される前記ミドルシャーシ(４００)の製造工程の便宜性を増大させることができる。また、大型ミドルシャーシ(４００)を製造する段階で発生される捩れ現象を最小化することで、液晶表示モジュール(６００)の組み立て品質を向上させることができる。
【００９６】
図１３及び図１４は、第１支持部材が第１締結部材に一体に形成された構造を示す部分切開斜視図である。
【００９７】
図１３及び図１４に示すように、第１支持部材(３９０)は、第１締結部材(３１０)の上面から所定の高さ分だけ突出する。この時、前記第１支持部材(３９０)が突出する高さは、前記第１締結部材(３１０)の両端部にそれぞれ結合されるシャーシの第１及び第２部分(４１０、４２０)の厚さより小さい。
【００９８】
また、前記第１支持部材(３９０)は、前記第１締結部材(３１０)の第１本体部(３１１)と第２本体部(３１２)とが接するコーナーで折曲してＬ字形状を有する。
【００９９】
このように前記第１支持部材(３９０)が前記第１締結部材(３１０)に一体に形成されることで、前記第１支持部材(３９０)と前記第１締結部材(３１０)とを結合させるための別途のスクリューを必要としないので、部品数が減少する。また、前記第１支持部材(３９０)と前記第１締結部材(３１０)とを結合させる工程を省略することができ、組立工程数が減少する。
【０１００】
図１５は、図１に図示されたトップシャーシを具体的に示した斜視図である。図１６は、図１５に図示されたトップシャーシの平面図である。
【０１０１】
図１５及び図１６に示すように、トップシャーシ(５００)は、上部面(５１０)及び前記上部面(５１０)から折曲して延長された第９乃至第１２側面(５２０、５３０、５４０、５５０)を含む。
【０１０２】
前記トップシャーシ(５００)が前記液晶表示パネル(１１０)上に載置されると、前記上部面(５１０)は前記液晶表示パネル(１１０)の非有效表示領域をカバーし、前記第９乃至第１２側面(５２０〜５５０)はシャーシの第１〜第４部分(４１０〜４４０)の第５乃至第８側面(４１２、４２２、４３２、４４２)と向い合う。
【０１０３】
前記トップシャーシ(５００)の第５乃至第８コーナー(Ｃ５、Ｃ６、Ｃ７、Ｃ８)には、第５乃至第８締結部(５６０、５７０、５８０、５９０)がそれぞれ設けられている。
【０１０４】
前記第５締結部(５６０)は、前記第５コーナー(Ｃ５)で前記上部面(５１０)から前記第９側面(５２０)に沿って延長された後に下方に折曲し、再び外側に折曲している。前記第６締結部(５７０)は、前記第６コーナー(Ｃ６)で前記上部面(５１０)から前記第１０側面(５３０)に沿って延長された後に下方に折曲し、再び外側に折曲している。前記第７締結部(５８０)は、前記第７コーナー(Ｃ７)で前記上部面(５１０)から前記第１１側面(５４０)に沿って延長された後に下方に折曲し、再び外側に折曲している。前記第８締結部(５９０)は、前記第８コーナー(Ｃ４)で前記上部面(５１０)から前記第１２側面(５５０)に沿って延長した後に下方に折曲し、再び外側に折曲している。
【０１０５】
図１５に図示されたように、前記第５乃至第８締結部(５６０〜５９０)は、第１乃至第４締結部材(３１０〜３４０)に設けられた第１乃至第４締結部(３１３、３２３、３３３、３４３)にそれぞれ対応する。
【０１０６】
前記第５乃至第８締結部(５６０〜５９０)は互いに等しい形状を有する。従って、図１７を参照して前記第５締結部(５６０)を説明することで、残りの第６乃至第８締結部(５７０〜５９０)に関する説明は略する。
【０１０７】
図１７は、トップシャーシと第１締結部材との結合関係を具体的に示した部分切開斜視図である。
【０１０８】
図１７に示すように、トップシャーシ(５００)には、第５締結部(５６０)を貫く第２ホール(５６１)及び第２固定ホール(５６２)が形成される。前記トップシャーシ(５００)が前記液晶表示パネル(１１０)上に載置されると、前記上部面(５１０)は前記液晶表示パネル(１１０)をカバーし、第９側面(５２０)はシャーシの第１部分(４１０)の第５側面(４１２)と対応し、第１０側面(５３０)はシャーシの第２部分(４２０)の第６側面(４２２)と対応する。
【０１０９】
また、第５締結部(５６０)に形成された前記第２ホール(５６１)及び第２固定ホール(５６２)は、前記第１締結部材(３１０)の第１締結部(３１３)に形成された第１ホール(３１３ａ)及び第１固定ホール(３１３ｂ)にそれぞれ対応する。第９スクリュー(３９９)は、第２及び第１固定ホール(５６２、３１３ｂ)に締結され、前記トップシャーシ(５００)と前記ボトムシャーシ(２７０)とを結合させる。これにより、液晶表示モジュール(６００)(図１に図示)が完成される。
【０１１０】
図１５乃至図１７では前記第５乃至第８締結部(５６０〜５９０)が互いに等しい形状を有することを図示したが、前記第５乃至第８締結部(５６０〜５９０)は互いに異なる形状を有することもできる。ただし、前記第５乃至第８締結部(５６０〜５９０)は前記第１乃至第４締結部材(３１０〜３４０)にそれぞれ対応しなければならないので、前記第１乃至第４締結部材(３１０〜３４０)の形状が変形されることに従属して変形される。
【０１１１】
図１８は、本発明の他の実施例による液晶表示装置を具体的に示す分解斜視図である。図１９は、図１８に図示されたリヤケースの平面図である。
【０１１２】
図１８及び図１９に示すように、本発明の他の実施例による液晶表示装置(９００)は、液晶表示モジュール(６００)、前記液晶表示モジュール(６００)をカバーするためのリヤ及びフロントケース(７００、８００)を含む。
【０１１３】
前記リヤケース(７００)は、リヤ面(７１０)及び前記リヤ面(７１０)から延長された第１３乃至第１６側面(７２０、７３０、７４０、７５０)で構成される。前記リヤ面(７１０)及び前記第１３乃至第１６側面(７２０〜７５０)によって定義される収納空間には、前記液晶表示モジュール(６００)が収納される。前記リヤケース(７００)の第９乃至第１２コーナー(Ｃ９、Ｃ１０、Ｃ１１、Ｃ１２)には、第９乃至第１２締結部(７６０、７７０、７８０、７９０)が用意される。前記第９乃至第１２締結部(７６０〜７９０)は、前記液晶表示モジュール(６００)の第１乃至第４締結部材(３１０〜３４０)(図１に図示される)とそれぞれ対応するだけでなく、前記トップシャーシ(５００)(図１に図示される)に形成される第５乃至第８締結部(５６０〜５９０)ともそれぞれ対応する。
【０１１４】
一方、前記フロントケース(８００)は、フロント面(８１０)及び前記フロント面(８１０)から延長された第１７乃至第２０側面(８２０、８３０、８４０、８５０)で構成される。前記フロントケース(８００)は、前記液晶表示モジュール(６００)を収納している前記リヤケース(７００)と対向して結合する。従って、前記フロント面(８１０)は、前記液晶表示モジュール(６００)のトップシャーシ(５００)の上部面(５１０)と対向し、前記第１７乃至第２０側面(８２０〜８５０)は前記リヤケース(７００)の第１３乃至第１６側面(７２０〜７５０)と対向する。
【０１１５】
図２０及び図２１は、図１８に図示するリヤケースと液晶表示モジュールとの結合関係を具体的に示した部分切開斜視図である。ただし、図２０及び図２１では、リヤケースの第９締結部と前記液晶表示モジュールとの結合関係を説明することで、前記リヤケースと第１０乃至第１２締結部と前記液晶表示モジュールとの結合関係に関する説明に代える。
【０１１６】
図２０及び図２１に示すように、リヤケース(７００)は第９締結部(７６０)を有する。第９締結部(７６０)は第１３側面(７３０)から突出している。第１３側面(７３０)は、第９コーナー(Ｃ９)からリヤ面(７１０)及び第１２側面(７２０)と隣接する。前記第９締結部(７６０)には、上面から所定の深さだけ陥没した第９締結溝７６１が形成される。
【０１１７】
一方、液晶表示モジュール(６００)は、トップシャーシ(５００)の第５締結部(５６０)に形成された第２ホール(５６１)を有している。また、液晶表示モジュール(６００)は、第１締結部材(３１０)の第１締結部(３１３)に形成されて前記第２ホール(５６１)とそれぞれ対応する第１ホール(３１３ａ)を有する。
【０１１８】
前記液晶表示モジュール(６００)が前記リヤケース(７００)に収納されると、前記第１及び第２ホール(３１３ａ、５６１)は前記第９締結溝(７６１)に対応する。この時、第９スクリュー(７６３)は、前記第２及び第１ホール(５６１、３１３ａ)を順次貫いた後、前記第９締結溝(７６１)に締結される。これにより、前記液晶表示モジュール(６００)は前記リヤケース(７００)に結合される。
【０１１９】
このような表示モジュール用収納ユニット、これを有する表示モジュール及び表示装置によると、締結部材には第１ホールが形成され、締結部材は収納部材のコーナーに結合される。また、収納部材に結合されるカバー部材には第１ホールに対応する第２ホールが形成される。
【０１２０】
収納部材より強い強度を有する締結部材を用いることで、表示装置の組み立て過程で第１ホールが形成された締結部材が変形する現象を防止することができる。すなわち、表示装置が大型化されも締結部材は変形しにくく、且つ表示装置を支えることができるので、表示装置の組立性を向上させることができる。従って、表示装置の組み立て品質及び結合力を向上させることができる。
【０１２１】
また、複数の部分に分離された収納部材を採用することによって、表示装置が大型化しても収納部材の製造過程を簡素化することができる。これにより、表示装置の生産性及び収率を向上させることができる。
【０１２２】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１２３】
【図１】本発明の一実施例による液晶表示モジュールを具体的に示す分解斜視図である。
【図２】図１に図示されたボトムシャーシと第１乃至第４締結部材との結合関係を示す平面図である。
【図３】図１に図示された第１締結部材を具体的に示す図面である。
【図４】ボトムシャーシと第１締結部材との締結構造を示す斜視図である。
【図５】図１に図示されたボトムシャーシと第１及び第２モールドバーとの結合構造を示す斜視図である。
【図６】図１に図示された第１及び第２低モールドとランプユニットとの結合関係を示す斜視図である。
【図７】ボトムシャーシと第１低モールドとの結合関係を示す部分切開斜視図である。
【図８】第１及び第２アッパーモールドと第１及び第２低モールドとの結合関係を示す斜視図である。
【図９】第１アッパーモールドとボトムシャーシとの結合関係を示す部分切開斜視図である。
【図１０】ミドルシャーシを具体的に示す斜視図である。
【図１１】ミドルシャーシの第１及び第２部分と第１締結部材との締結関係及び第１支持部材と第１締結部材との締結関係を具体的に示す部分切開斜視図である。
【図１２】ミドルシャーシの第１及び第２部分と第１締結部材との締結関係及び第１支持部材と第１締結部材との締結関係を具体的に示す部分切開斜視図である。
【図１３】第１支持部材が第１締結部材に一体に形成された構造を示す部分切開斜視図である。
【図１４】第１支持部材が第１締結部材に一体に形成された構造を示す部分切開斜視図である。
【図１５】図１に図示されたトップシャーシを具体的に示す斜視図である。
【図１６】図１５に図示されたトップシャーシの平面図である。
【図１７】トップシャーシと第１締結部材との結合関係を具体的に示す部分切開斜視図である。
【図１８】本発明の他の実施例による液晶表示装置を具体的に示す分解斜視図である。
【図１９】図１８に図示されたリヤケースの平面図である。
【図２０】図１８に図示されたリヤケースと液晶表示モジュールとの結合関係を具体的に示す部分切開斜視図である。
【図２１】図１８に図示されたリヤケースと液晶表示モジュールとの結合関係を具体的に示す部分切開斜視図である。
【符号の説明】
【０１２４】
１００      表示ユニット
１１０      液晶表示パネル
１２０      ゲート側印刷回路基板
１３０      データ側印刷回路基板
２００      バックライトアセンブリ
２１０      ランプユニット
２１４      第１回路基板
２１５      第２回路基板
２２１      拡散板
２３０、２４０      低モールド
２５０、２６０      アッパーモールド
２７０      ボトムシャーシ
３１０      第１締結部材
３１１      第１本体部
３１２      第２本体部
３１３ｂ      第１固定ホール
３１３ａ      第１ホール
４００      ミドルシャーシ
４１０      シャーシの第１部分
４２０      シャーシの第２部分
４３０      シャーシの第３部分
４４０      シャーシの第４部分
５００      トップシャーシ
６００      液晶表示モジュール
【図１】
2005049871.tif 000003
【図２】
2005049871.tif 000004
【図３】
2005049871.tif 000005
【図４】
2005049871.tif 000006
【図５】
2005049871.tif 000007
【図６】
2005049871.tif 000008
【図７】
2005049871.tif 000009
【図８】
2005049871.tif 000010
【図９】
2005049871.tif 000011
【図１０】
2005049871.tif 000012
【図１１】
2005049871.tif 000013
【図１２】
2005049871.tif 000014
【図１３】
2005049871.tif 000015
【図１４】
2005049871.tif 000016
【図１５】
2005049871.tif 000017
【図１６】
2005049871.tif 000018
【図１７】
2005049871.tif 000019
【図１８】
2005049871.tif 000020
【図１９】
2005049871.tif 000021
【図２０】
2005049871.tif 000022
【図２１】
2005049871.tif 000023